(57)【要約】  本開示は、ランダムアクセス方法及び端末装置を提供し、該方法は、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングすることを含み、前記第１ＭＡＣ  ＰＤＵは、競合ランダムアクセス手順においてＭｓｇ３バッファにバッファリングされたＰＤＵであり、前記第２ＭＡＣ  ＰＤＵは、前記第１ＭＡＣ  ＰＤＵのデータコンテンツを少なくとも含み、かつ前記Ｍｓｇ３バッファとは異なるバッファであるターゲットバッファにバッファリングされたＰＤＵである。【選択図】図２
2021534620.tif 000002
【特許請求の範囲】
【請求項１】
端末装置に適用されるランダムアクセス方法であって、
ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングすることを含み、
前記第１ＭＡＣ  ＰＤＵは、競合ランダムアクセス手順においてＭｓｇ３バッファにバッファリングされたＰＤＵであり、前記第２ＭＡＣ  ＰＤＵは、前記第１ＭＡＣ  ＰＤＵのデータコンテンツを少なくとも含み、かつ前記Ｍｓｇ３バッファとは異なるバッファであるターゲットバッファにバッファリングされたＰＤＵである、ランダムアクセス方法。
【請求項２】
前記のランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングすることは、
非競合ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングすることを含む、請求項１に記載のランダムアクセス方法。
【請求項３】
前記のＨＡＲＱバッファにバッファリングされた第１ＭＡＣ  ＰＤＵを保留するか、又は第２ＭＡＣ  ＰＤＵをＨＡＲＱバッファにバッファリングすることの後に、
送信停止条件を満たすまで、ＨＡＲＱプロセスを用いてネットワーク側装置にターゲットＭＡＣ  ＰＤＵを送信することをさらに含み、
前記ターゲットＭＡＣ  ＰＤＵは、前記第１ＭＡＣ  ＰＤＵ又は前記第２ＭＡＣ  ＰＤＵを含む、請求項１又は２に記載のランダムアクセス方法。
【請求項４】
前記の送信停止条件を満たすまで、ＨＡＲＱプロセスを用いてネットワーク側装置にターゲットＭＡＣ  ＰＤＵを送信することの後に、
前記送信停止条件を満たした場合に、前記ＨＡＲＱバッファにバッファリングされた前記ターゲットＭＡＣ  ＰＤＵをクリアすることをさらに含む、請求項３に記載のランダムアクセス方法。
【請求項５】
前記送信停止条件は、
Ｍｓｇ３のＨＡＲＱ伝送の応答を受信することと、
Ｍｓｇ３のＨＡＲＱ伝送の最大伝送回数になることと、
前記ＨＡＲＱプロセスが前記ターゲットＭＡＣ  ＰＤＵとは異なる第１データに占有されることと、のうち少なくとも１つを含む、請求項３に記載のランダムアクセス方法。
【請求項６】
前記の第２ＭＡＣ  ＰＤＵをＨＡＲＱバッファにバッファリングすることの前に、
前記第１ＭＡＣ  ＰＤＵのデータコンテンツに基づいて第２ＭＡＣ  ＰＤＵを生成することと、
前記第２ＭＡＣ  ＰＤＵをターゲットバッファ内に記憶することと、をさらに含む、請求項１に記載のランダムアクセス方法。
【請求項７】
ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングする処理モジュールを含み、
前記第１ＭＡＣ  ＰＤＵは、競合ランダムアクセス手順においてＭｓｇ３バッファにバッファリングされたＰＤＵであり、前記第２ＭＡＣ  ＰＤＵは、前記第１ＭＡＣ  ＰＤＵのデータコンテンツを少なくとも含み、かつ前記Ｍｓｇ３バッファとは異なるバッファであるターゲットバッファにバッファリングされたＰＤＵである、端末装置。
【請求項８】
前記処理モジュールは、具体的には、
非競合ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングする、請求項７に記載の端末装置。
【請求項９】
前記ＨＡＲＱバッファにバッファリングされた第１ＭＡＣ  ＰＤＵを保留するか、又は第２ＭＡＣ  ＰＤＵをＨＡＲＱバッファにバッファリングした後に、送信停止条件を満たすまで、ＨＡＲＱプロセスを用いてネットワーク側装置にターゲットＭＡＣ  ＰＤＵを送信する送信モジュールをさらに含み、
前記ターゲットＭＡＣ  ＰＤＵは、前記第１ＭＡＣ  ＰＤＵ又は前記第２ＭＡＣ  ＰＤＵを含む、請求項７又は８に記載の端末装置。
【請求項１０】
前記送信停止条件を満たすまで、ＨＡＲＱプロセスを用いてネットワーク側装置にターゲットＭＡＣ  ＰＤＵを送信した後に、前記送信停止条件を満たした場合に、前記ＨＡＲＱバッファにバッファリングされた前記ターゲットＭＡＣ  ＰＤＵをクリアするクリアモジュールをさらに含む、請求項９に記載の端末装置。
【請求項１１】
前記送信停止条件は、
Ｍｓｇ３のＨＡＲＱ伝送の応答を受信することと、
Ｍｓｇ３のＨＡＲＱ伝送の最大伝送回数になることと、
前記ＨＡＲＱプロセスが前記ターゲットＭＡＣ  ＰＤＵとは異なる第１データに占有されることと、のうち少なくとも１つを含む、請求項９に記載の端末装置。
【請求項１２】
第２ＭＡＣ  ＰＤＵをＨＡＲＱバッファにバッファリングする前に、前記第１ＭＡＣ  ＰＤＵのデータコンテンツに基づいて第２ＭＡＣ  ＰＤＵを生成する生成モジュールと、
前記第２ＭＡＣ  ＰＤＵをターゲットバッファ内に記憶する記憶モジュールと、をさらに含む、請求項７に記載の端末装置。
【請求項１３】
プロセッサと、メモリと、前記メモリに記憶されて前記プロセッサ上で実行可能で、前記プロセッサによって実行されると、請求項１〜６のいずれか１項に記載のランダムアクセス方法を実現するコンピュータプログラムと、を含む、端末装置。
【請求項１４】
コンピュータプログラムが格納されているコンピュータ読み取り可能な記憶媒体であって、
前記コンピュータプログラムがプロセッサによって実行されると、請求項１〜６のいずれか１項に記載のランダムアクセス方法が実現される、コンピュータ読み取り可能な記憶媒体。
【発明の詳細な説明】
【技術分野】
【０００１】
（関連出願の相互参照）
本願は、２０１８年８月７日に提出された中国特許出願第２０１８１０８９２５３２．９号の優先権を主張するものであり、その全ての内容は、参照により本願に組み込まれるものとする。
本開示は、通信の技術分野に関し、特にランダムアクセス方法及び端末装置に関する。
【背景技術】
【０００２】
ユーザ装置（Ｕｓｅｒ  Ｅｑｕｉｐｍｅｎｔ、ＵＥ）は、ランダムアクセス手順を開始（又は再開始）する毎に、各ランダムアクセスＭｓｇ１リソースに対応するダウンリンク信号品質（例えば、同期信号ブロック（Ｓｙｎｃｈｒｏｎｏｕｓ  Ｓｉｇｎａｌ  Ｂｌｏｃｋ、ＳＳＢ）の基準シンボル受信電力（Ｒｅｆｅｒｅｎｃｅ  Ｓｙｍｂｏｌ  Ｒｅｃｅｉｖｅｄ  Ｐｏｗｅｒ、ＲＳＲＰ））に基づいてランダムアクセスリソースの選択を行うことにより、ランダムアクセスの成功率を向上させる。したがって、ユーザ装置ＵＥがランダムアクセス手順を開始（又は再開始）する毎に、ユーザ装置ＵＥは、競合ベースのランダムアクセス手順を選択する可能性があり、非競合ベースのランダムアクセス手順を選択する可能性もある。
【０００３】
ユーザ装置ＵＥがランダムアクセス手順を行うとき、競合ベースのランダムアクセス手順を前回行えば、ユーザ装置ＵＥは、メディアアクセス制御プロトコルデータユニット（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＭＡＣ  ＰＤＵ）を生成してＭｓｇ３バッファにバッファリングし、かつＭｓｇ３バッファにバッファリングされたＭＡＣ  ＰＤＵをＨＡＲＱプロセスにより送信する。ユーザ装置ＵＥがランダムアクセス手順を再開始するとき、ランダムアクセスが成功し、ユーザ装置ＵＥが、ランダムアクセス手順が完了したと考えれば、該Ｍｓｇ３のＭＡＣ  ＰＤＵの伝送のためのＨＡＲＱバッファをクリアし、該Ｍｓｇ３のＭＡＣ  ＰＤＵの送信に失敗することを引き起こし、データパケットのロスを引き起こす。
【０００４】
関連技術では、ランダムアクセス手順の完了に起因して、ＨＡＲＱバッファにバッファリングされたＭｓｇ３のＭＡＣ  ＰＤＵがクリアされることにより、データ伝送ロスが引き起こされるという課題に対して、現在、効果的な解決手段がまだ提供されない。
【発明の概要】
【発明が解決しようとする課題】
【０００５】
本開示の実施例は、ランダムアクセス手順の完了に起因して、ＨＡＲＱバッファにバッファリングされたＭｓｇ３のＭＡＣ  ＰＤＵがクリアされることにより、データ伝送ロスが引き起こされるという課題を解決するために、ランダムアクセス方法及び端末装置を提供する。
【課題を解決するための手段】
【０００６】
上記技術的課題を解決するために、本開示は、以下のように実現される。
【０００７】
第１の態様では、本開示の実施例に係るランダムアクセス方法は、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングすることを含み、前記第１ＭＡＣ  ＰＤＵは、競合ランダムアクセス手順においてＭｓｇ３バッファにバッファリングされたＰＤＵであり、前記第２ＭＡＣ  ＰＤＵは、前記第１ＭＡＣ  ＰＤＵのデータコンテンツを少なくとも含み、かつ前記Ｍｓｇ３バッファとは異なるバッファであるターゲットバッファにバッファリングされたＰＤＵである。
【０００８】
第２の態様では、本開示の実施例に係る端末装置は、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングする処理モジュールを含み、前記第１ＭＡＣ  ＰＤＵは、競合ランダムアクセス手順においてＭｓｇ３バッファにバッファリングされたＰＤＵであり、前記第２ＭＡＣ  ＰＤＵは、前記第１ＭＡＣ  ＰＤＵのデータコンテンツを少なくとも含み、かつ前記Ｍｓｇ３バッファとは異なるバッファであるターゲットバッファにバッファリングされたＰＤＵである。
【０００９】
第３の態様では、本開示の実施例に係る端末装置は、プロセッサと、メモリと、前記メモリに記憶されて前記プロセッサ上で実行可能で、前記プロセッサによって実行されると、上記ランダムアクセス方法を実現するコンピュータプログラムと、を含む。
【００１０】
第４の態様では、本開示の実施例に係るコンピュータ読み取り可能な記憶媒体には、プロセッサによって実行されると、上記ランダムアクセス方法を実現するコンピュータプログラムが記憶されている。
【発明の効果】
【００１１】
本開示の実施例では、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングし、前記第１ＭＡＣ  ＰＤＵは、競合ランダムアクセス手順においてＭｓｇ３バッファにバッファリングされたＰＤＵであり、前記第２ＭＡＣ  ＰＤＵは、前記第１ＭＡＣ  ＰＤＵのデータコンテンツを少なくとも含み、かつ前記Ｍｓｇ３バッファとは異なるバッファであるターゲットバッファにバッファリングされたＰＤＵであり、ランダムアクセス手順が成功した場合に、端末装置がＭｓｇ３のＭＡＣ  ＰＤＵのデータコンテンツを伝送し続けることができることを実現することができるため、ランダムアクセス手順における伝送データのロスを低減し、データ伝送の信頼性を向上させることができる。
【図面の簡単な説明】
【００１２】
本開示の実施例の技術手段をより明確に説明するために、以下、本開示の実施例の説明に必要な図面を簡単に説明する。明らかに、以下に説明される図面は、本開示のいくつかの実施例に過ぎず、当業者であれば、創造的な労働をしない前提で、これらの図面に基づいて他の図面を得ることができる。
【００１３】
【図１】本開示の実施例に適用可能なネットワークシステムの構成図である。
【図２】本開示の実施例に係るランダムアクセス方法のフローチャートである。
【図３】本開示の実施例に係る端末装置の構成図である。
【図４】本開示の実施例に係る別の端末装置の構成図である。
【発明を実施するための形態】
【００１４】
以下、本開示の実施例における図面を参照しながら、本開示の実施例における技術手段を明確かつ完全的に説明する。明らかに、説明される実施例は、本開示の実施例の一部であり、全てではない。本開示の実施例に基づいて、当業者が創造的な労働をしない前提で得る他の全ての実施例は、いずれも本開示の保護範囲に属するものである。
【００１５】
説明を容易にするために、以下、本開示の実施例に係るいくつかの用語について説明する。
【００１６】
ランダムアクセス手順：ランダムアクセス手順は、主に、競合ベースのランダムアクセス手順（競合ランダムアクセス手順とも呼ばれる）及び非競合ベースのランダムアクセス手順（非競合ランダムアクセス手順とも呼ばれる）を含んでよい。
【００１７】
競合ベースのランダムアクセス手順の場合、ユーザ装置（Ｕｓｅｒ  Ｅｑｕｉｐｍｅｎｔ、ＵＥ）は、Ｍｓｇ１（すなわち、ランダムアクセス要求）をネットワーク側装置に送信する。ネットワーク側装置は、Ｍｓｇ１を受信すると、Ｍｓｇ２（すなわち、ランダムアクセス応答（Ｒａｎｄｏｍ  Ａｃｃｅｓｓ  Ｒｅｓｐｏｎｓｅ、ＲＡＲ））をユーザ装置ＵＥに送信し、該Ｍｓｇ２は、アップリンクグラント（Ｕｐｌｉｎｋ  Ｇｒａｎｔ、ＵＬ  Ｇｒａｎｔと略称）情報を搬送している。ユーザ装置ＵＥは、Ｍｓｇ２におけるアップリンクグラントに基づいて、メディアアクセス制御（Ｍｅｄｉｕｍ  Ａｃｃｅｓｓ  Ｃｏｎｔｒｏｌ、ＭＡＣ）層のパケット化機能を実行してプロトコルデータユニット（Ｐｒｏｔｏｃｏｌ  Ｄａｔａ  Ｕｎｉｔ、ＭＡＣ  ＰＤＵ）を生成し、かつ該ＭＡＣ  ＰＤＵをＭｓｇ３バッファに記憶して、ユーザ装置ＵＥは、Ｍｓｇ３バッファ内のＭＡＣ  ＰＤＵをハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）プロセスにより送信する。ネットワーク側装置は、Ｍｓｇ３を受信するとＭｓｇ４（例えば、競合解決識別子）をユーザ装置ＵＥに送信する。
【００１８】
ユーザ装置ＵＥは、Ｍｓｇ４を受信して競合解決が成功したか否かを判定し、成功すれば、ランダムアクセス手順が成功し、そうでなければ、ランダムアクセス手順を再開始する。再開始されたランダムアクセス手順について、ユーザ装置ＵＥがＭｓｇ２におけるアップリンクグラント（すなわち、Ｕｐｌｉｎｋ  Ｇｒａｎｔ）を再受信した後、ユーザ装置ＵＥは、以前に記憶されたＭＡＣ  ＰＤＵを直接的にＭｓｇ３バッファから取り出してＨＡＲＱプロセスにより送信することができる。ユーザ装置ＵＥは、ランダムアクセス手順が完了した後にランダムアクセス手順におけるＭｓｇ３伝送のためのＨＡＲＱバッファをクリアする。
【００１９】
非競合ベースのランダムアクセス手順の場合、ユーザ装置ＵＥは、Ｍｓｇ１（すなわち、ランダムアクセス要求）をネットワーク側装置に送信する。ネットワーク側装置は、Ｍｓｇ１を受信すると、Ｍｓｇ２（すなわち、ＲＡＲ）をユーザ装置ＵＥに送信し、該Ｍｓｇ２は、アップリンクグラント（すなわち、Ｕｐｌｉｎｋ  Ｇｒａｎｔ）情報及びユーザ装置ＵＥの識別子情報（例えば、Ｍｓｇ１のランダムアクセスプリアンブル（すなわち、Ｐｒｅａｍｂｌｅ）番号）を搬送している。該ランダムアクセスプリアンブルの番号がユーザ装置ＵＥのＭｓｇ１の送信するランダムアクセスプリアンブル番号と同じであれば、ユーザ装置ＵＥは、該ランダムアクセス手順が成功したと考え、そうでなければ、ランダムアクセス手順を再開始する。
【００２０】
図１を参照すると、図１は、本開示の実施例に適用可能なネットワークシステムの構成図であり、図１に示すように、端末装置１１及びネットワーク側装置１２を含み、端末装置１１は、携帯電話、タブレットパーソナルコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡと略称）、モバイルインターネット装置（Ｍｏｂｉｌｅ  Ｉｎｔｅｒｎｅｔ  Ｄｅｖｉｃｅ、ＭＩＤ）又はウェアラブル装置（Ｗｅａｒａｂｌｅ  Ｄｅｖｉｃｅ）などの端末側装置であってよく、なお、本開示の実施例では、端末装置１１の具体的なタイプを限定しない。ネットワーク側装置１２は、マクロステーション、ＬＴＥ  ｅＮＢ、５Ｇ  ＮＲ  ＮＢ、ｇＮＢなどの基地局であってよく、ネットワーク側装置１２は、低電力ノード（Ｌｏｗ  Ｐｏｗｅｒ  Ｎｏｄｅ、ＬＰＮ）、ｐｉｃｏ、ｆｅｍｔｏなどのスモールステーションであってもよく、ネットワーク側装置１２は、アクセスポイント（Ａｃｃｅｓｓ  Ｐｏｉｎｔ、ＡＰ）であってもよく、基地局は、中央ユニット（Ｃｅｎｔｒａｌ  Ｕｎｉｔ、ＣＵ）と、それが管理制御する複数の送受信ポイント（Ｔｒａｎｓｍｉｓｓｉｏｎ  Ｒｅｃｅｐｔｉｏｎ  Ｐｏｉｎｔ、ＴＲＰ）とが共に構成したネットワークノードであってもよい。なお、本開示の実施例では、ネットワーク側装置１２の具体的なタイプを限定しない。
【００２１】
本開示の実施例では、端末装置１１は、ランダムアクセス手順が成功した場合に、ＨＡＲＱバッファにバッファリングされた第１ＭＡＣ  ＰＤＵを保留してよく、上記第１ＭＡＣ  ＰＤＵは、競合ランダムアクセス手順においてＭｓｇ３バッファにバッファリングされたＰＤＵであってよい。
【００２２】
ＨＡＲＱバッファにバッファリングされた第１ＭＡＣ  ＰＤＵを保留する上記ステップは、ＨＡＲＱバッファにバッファリングされた第１ＭＡＣ  ＰＤＵをクリアしない（すなわち、ＨＡＲＱバッファにバッファリングされた第１ＭＡＣ  ＰＤＵをクリアする動作を実行しない）か、又はＨＡＲＱバッファにバッファリングされた第１ＭＡＣ  ＰＤＵのクリアを阻止するなどにより、第１ＭＡＣ  ＰＤＵのＨＡＲＱバッファへの記憶を保持することを指してよい。
【００２３】
本実施形態では、ランダムアクセス手順が成功した場合に、ＨＡＲＱバッファにバッファリングされた第１ＭＡＣ  ＰＤＵを保留することにより、端末装置１１は、ＨＡＲＱバッファにバッファリングされた第１ＭＡＣ  ＰＤＵに基づいて、第１ＭＡＣ  ＰＤＵをネットワーク側装置１２に送信し続けることができ、関連技術における、ランダムアクセス手順が成功した場合にＨＡＲＱバッファにバッファリングされた第１ＭＡＣ  ＰＤＵをクリアすることに比べて、第１ＭＡＣ  ＰＤＵのデータコンテンツの送信に失敗する確率を低減し、ランダムアクセス手順における伝送データのロスを低減することができる。
【００２４】
好ましくは、本開示の実施例では、端末装置１１は、ランダムアクセス手順が成功した場合に、第２ＭＡＣ  ＰＤＵをＨＡＲＱバッファにバッファリングしてもよく、上記第２ＭＡＣ  ＰＤＵは、上記第１ＭＡＣ  ＰＤＵのデータコンテンツを少なくとも含み、かつ上記Ｍｓｇ３バッファとは異なるバッファであるターゲットバッファにバッファリングされたＰＤＵである。
【００２５】
上記第１ＭＡＣ  ＰＤＵのデータコンテンツは、端末装置１１が第１ＭＡＣ  ＰＤＵを介して実際に伝送する必要があるデータコンテンツ、例えば、第１ＭＡＣ  ＰＤＵをパケット化する前のデータコンテンツを指してよい。上記第２ＭＡＣ  ＰＤＵが第１ＭＡＣ  ＰＤＵのデータコンテンツを少なくとも含むことにより、第２ＭＡＣ  ＰＤＵに基づいて第１ＭＡＣ  ＰＤＵのデータコンテンツを伝送し続けることができる。
【００２６】
上記ターゲットバッファは、Ｍｓｇ３バッファとは異なる任意のバッファ、例えば、Ｍｓｇ１バッファ、第１ＭＡＣ  ＰＤＵのデータコンテンツの再送のためのバッファであってよく、本開示の実施例では、限定されるものではない。第２ＭＡＣ  ＰＤＵがＭｓｇ３バッファに記憶されないため、ランダムアクセスが成功した後に端末装置１１がＨＡＲＱバッファにバッファリングされた第２ＭＡＣ  ＰＤＵをクリアすることを回避することができる。
【００２７】
該実施形態では、端末装置１１は、ランダムアクセス手順が成功した場合に、ＨＡＲＱバッファにバッファリングされた第１ＭＡＣ  ＰＤＵをクリアしてもよく、第１ＭＡＣ  ＰＤＵを保留してもよいことを理解されたい。
【００２８】
本実施形態では、ランダムアクセス手順が成功した場合に第２ＭＡＣ  ＰＤＵをＨＡＲＱバッファにバッファリングすることにより、端末装置１１は、ＨＡＲＱバッファにバッファリングされた第２ＭＡＣ  ＰＤＵに基づいて第１ＭＡＣ  ＰＤＵのデータコンテンツをネットワーク側装置１２に送信し続けることができ、関連技術における、ランダムアクセス手順が成功した場合にＨＡＲＱバッファにバッファリングされた第１ＭＡＣ  ＰＤＵをクリアすることに比べて、第１ＭＡＣ  ＰＤＵのデータコンテンツの送信に失敗する確率を低減し、ランダムアクセス手順における伝送データのロスを低減することもできる。
【００２９】
なお、上記ランダムアクセス手順が成功することは、非競合ランダムアクセス手順が成功することであってもよく、競合ランダムアクセス手順が成功することであってもよい。
【００３０】
本開示の実施例は、端末装置に適用されるランダムアクセス方法を提供する。図２は、本開示の実施例に係るランダムアクセス方法のフローチャートであり、図２に示すように、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングするステップ２０１を含み、上記第１ＭＡＣ  ＰＤＵは、競合ランダムアクセス手順においてＭｓｇ３バッファにバッファリングされたＰＤＵであり、上記第２ＭＡＣ  ＰＤＵは、上記第１ＭＡＣ  ＰＤＵのデータコンテンツを少なくとも含み、かつ上記Ｍｓｇ３バッファとは異なるバッファであるターゲットバッファにバッファリングされたＰＤＵである。
【００３１】
本開示の実施例では、上記ランダムアクセス手順は、非競合ランダムアクセス手順であってよく、例えば、競合ランダムアクセス手順が失敗した後に、非競合ランダムアクセス手順を開始することができ、かつ受信されたＭｓｇ２で指示されるランダムアクセス要求識別子がユーザ装置ＵＥ（端末装置とも呼ばれる）の送信したランダムアクセス要求に対応する場合に、ＨＡＲＱバッファにバッファリングされた第１ＭＡＣ  ＰＤＵを保留するか、又は第２ＭＡＣ  ＰＤＵをＨＡＲＱバッファにバッファリングすることができる。
【００３２】
好ましくは、上記ランダムアクセス手順は、競合ランダムアクセス手順であってもよく、例えば、Ｍｓｇ４を受信した後に、Ｍｓｇ４に基づいて、競合解決が成功したか否かを判定することができ、かつ競合解決が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングすることができる。
【００３３】
ＨＡＲＱバッファにバッファリングされた第１ＭＡＣ  ＰＤＵを保留する上記ステップは、ＨＡＲＱバッファにバッファリングされた第１ＭＡＣ  ＰＤＵをクリアしない（すなわち、ＨＡＲＱバッファにバッファリングされた第１ＭＡＣ  ＰＤＵをクリアする動作を実行しない）か、又はＨＡＲＱバッファにバッファリングされた第１ＭＡＣ  ＰＤＵのクリアを阻止するなどにより、第１ＭＡＣ  ＰＤＵのＨＡＲＱバッファへの記憶を保持することを指してよい。
【００３４】
上記第１ＭＡＣ  ＰＤＵのデータコンテンツは、端末装置が第１ＭＡＣ  ＰＤＵを介して実際に伝送する必要があるデータコンテンツ、例えば、第１ＭＡＣ  ＰＤＵをパケット化する前のデータコンテンツを指してよい。上記第２ＭＡＣ  ＰＤＵが第１ＭＡＣ  ＰＤＵのデータコンテンツを少なくとも含むことにより、第２ＭＡＣ  ＰＤＵに基づいて第１ＭＡＣ  ＰＤＵのデータコンテンツを伝送し続けることができる。
【００３５】
上記ターゲットバッファは、Ｍｓｇ３バッファとは異なる任意のバッファ、例えば、Ｍｓｇ１バッファ、第１ＭＡＣ  ＰＤＵのデータコンテンツの再送のためのバッファであってよく、本開示の実施例では、限定されるものではない。第２ＭＡＣ  ＰＤＵがＭｓｇ３バッファに記憶されないため、ランダムアクセスが成功した後に端末装置がＨＡＲＱバッファにバッファリングされた第２ＭＡＣ  ＰＤＵをクリアすることを回避することができる。
【００３６】
本開示の実施例では、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングすることができることにより、ＨＡＲＱバッファにバッファリングされた第１ＭＡＣ  ＰＤＵ又は第２ＭＡＣ  ＰＤＵに基づいて、第１ＭＡＣ  ＰＤＵ（すなわち、Ｍｓｇ３のＭＡＣ  ＰＤＵ）のデータコンテンツをネットワーク側装置に送信し続けることができ、関連技術における、ランダムアクセス手順が成功した場合にＨＡＲＱバッファにバッファリングされた第１ＭＡＣ  ＰＤＵをクリアすることに比べて、第１ＭＡＣ  ＰＤＵのデータコンテンツの送信に失敗する確率を低減し、ランダムアクセス手順における伝送データのロスを低減し、データ伝送の信頼性を向上させることができる。
【００３７】
好ましくは、上記ステップ２０１、すなわち、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングする上記ステップは、非競合ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングするステップを含む。
【００３８】
以下、例を挙げて本開示の実施例について説明する。
【００３９】
ユーザ装置ＵＥは、競合ベースのランダムアクセス手順（競合ランダムアクセス手順とも呼ばれる）において、Ｍｓｇ３伝送用のＭＡＣ  ＰＤＵ（すなわち、第１ＭＡＣ  ＰＤＵ）を生成し、Ｍｓｇ３バッファに記憶し、かつＨＡＲＱプロセスにより該第１ＭＡＣ  ＰＤＵに対してデータ送信を行い、例えば、該第１ＭＡＣ  ＰＤＵを該ＨＡＲＱプロセスのバッファに記憶し、その後、該ＨＡＲＱプロセスにより該データを送信する。
【００４０】
ユーザ装置ＵＥは、競合ベースのランダムアクセス手順が失敗した（例えば、競合解決が失敗した）と判定した場合に、ランダムアクセス要求（例えば、Ｍｓｇ１）を再開始し、また該ランダムアクセス要求のリソースが非競合ベースランダムアクセスリソースであれば、非競合ランダムアクセス手順を開始する。ユーザ装置ＵＥは、その対応するＭｓｇ２を受信した（例えば、ランダムアクセス応答で指示されるランダムアクセス要求識別子がユーザ装置ＵＥの送信したランダムアクセス要求に対応した）場合に、ＨＡＲＱバッファにバッファリングされた第１ＭＡＣ  ＰＤＵを保留するか、又は第２ＭＡＣ  ＰＤＵをＨＡＲＱバッファにバッファリングすることができることにより、ＨＡＲＱバッファにバッファリングされた第１ＭＡＣ  ＰＤＵ又は第２ＭＡＣ  ＰＤＵに基づいて、第１ＭＡＣ  ＰＤＵ（すなわち、Ｍｓｇ３のＭＡＣ  ＰＤＵ）のデータコンテンツをネットワーク側装置に送信し続けることができる。
【００４１】
本開示の実施例では、非競合ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングすることができることにより、ＨＡＲＱバッファにバッファリングされた第１ＭＡＣ  ＰＤＵ又は第２ＭＡＣ  ＰＤＵに基づいて、第１ＭＡＣ  ＰＤＵ（すなわち、Ｍｓｇ３のＭＡＣ  ＰＤＵ）のデータコンテンツをネットワーク側装置に送信し続けることができ、第１ＭＡＣ  ＰＤＵのデータコンテンツの送信に失敗する確率を低減し、ランダムアクセス手順における伝送データのロスを低減することができる。
【００４２】
好ましくは、上記ステップ２０１の後、すなわち、ＨＡＲＱバッファにバッファリングされた第１ＭＡＣ  ＰＤＵを保留するか、又は第２ＭＡＣ  ＰＤＵをＨＡＲＱバッファにバッファリングする上記ステップの後に、上記方法は、送信停止条件を満たすまで、ＨＡＲＱプロセスを用いてネットワーク側装置にターゲットＭＡＣ  ＰＤＵを送信するステップをさらに含み、上記ターゲットＭＡＣ  ＰＤＵは、上記第１ＭＡＣ  ＰＤＵ又は上記第２ＭＡＣ  ＰＤＵを含む。
【００４３】
本開示の実施例では、上記送信停止条件は、プロトコルにより予め定義されてもよく、ネットワーク側により設定されてもよい。好ましくは、上記送信停止条件は、Ｍｓｇ３のＨＡＲＱ伝送の応答を受信することと、Ｍｓｇ３のＨＡＲＱ伝送の最大伝送回数になることと、上記ＨＡＲＱプロセスが上記ターゲットＭＡＣ  ＰＤＵとは異なる第１データに占有されることと、のうちの少なくとも１つを含んでよい。
【００４４】
本開示の実施例では、ランダムアクセスが成功した場合に、端末装置は、Ｍｓｇ３のＨＡＲＱ伝送の応答（すなわち、Ｍｓｇ３のＨＡＲＱ伝送のＡＣＫフィードバック）を受信すること、伝送回数がＭｓｇ３のＨＡＲＱ伝送の最大伝送回数になること、及び該ＨＡＲＱプロセスが、ターゲットＭＡＣ  ＰＤＵとは異なる任意のデータであってよい他のデータ（すなわち、第１データ）に占有されることなどのうちの少なくとも１つを満たすまで、ＨＡＲＱプロセスを用いてネットワーク側装置にターゲットＭＡＣ  ＰＤＵを送信し続けることができる。
【００４５】
送信停止条件を満たした後に、端末装置は、ＨＡＲＱバッファにバッファリングされたターゲットＭＡＣ  ＰＤＵを保留してもよく、ターゲットＭＡＣ  ＰＤＵをクリアしてもよいことを理解されたい。
【００４６】
本開示の実施例では、送信停止条件を満たすまで、ＨＡＲＱプロセスを用いてネットワーク側装置にターゲットＭＡＣ  ＰＤＵを送信することにより、第１ＭＡＣ  ＰＤＵのデータコンテンツの送信に失敗する確率をさらに低減し、ランダムアクセス手順における伝送データのロスを低減することができる。
【００４７】
好ましくは、送信停止条件を満たすまで、ＨＡＲＱプロセスを用いてネットワーク側装置にターゲットＭＡＣ  ＰＤＵを送信する上記ステップの後に、上記方法は、上記送信停止条件を満たした場合に、上記ＨＡＲＱバッファにバッファリングされた上記ターゲットＭＡＣ  ＰＤＵをクリアするステップをさらに含む。
【００４８】
本開示の実施例では、上記送信停止条件を満たした場合に、ＨＡＲＱバッファにバッファリングされた上記ターゲットＭＡＣ  ＰＤＵをクリアすることにより、ＨＡＲＱバッファの占有を低減し、システムリソースの占有をさらに低減することができる。
【００４９】
好ましくは、上記ステップ２０１の前、すなわち、第２ＭＡＣ  ＰＤＵをＨＡＲＱバッファにバッファリングする上記ステップの前に、上記方法は、上記第１ＭＡＣ  ＰＤＵのデータコンテンツに基づいて第２ＭＡＣ  ＰＤＵを生成するステップと、上記第２ＭＡＣ  ＰＤＵをターゲットバッファ内に記憶するステップと、をさらに含む。
【００５０】
本開示の実施例では、ランダムアクセスが成功した場合に、第１ＭＡＣ  ＰＤＵのデータコンテンツに基づいて新たなＭＡＣ  ＰＤＵ（すなわち、第２ＭＡＣ  ＰＤＵ）を生成し、かつ生成された新たなＭＡＣ  ＰＤＵをターゲットバッファ内に記憶することができる。上記ターゲットバッファは、Ｍｓｇ３バッファとは異なる任意のバッファ、例えば、Ｍｓｇ１バッファ、第１ＭＡＣ  ＰＤＵのデータコンテンツの再送のためのバッファであってよい。
【００５１】
好ましくは、本開示の実施例では、ＭＡＣ層にバッファリングされた第１ＭＡＣ  ＰＤＵのデータコンテンツに基づいて第２ＭＡＣ  ＰＤＵを生成してもよく、上位層がＭＡＣ層によって指示されて再送する第１ＭＡＣ  ＰＤＵのデータコンテンツ、例えば、無線リンク制御（Ｒａｄｉｏ  Ｌｉｎｋ  Ｃｏｎｔｒｏｌ、ＲＬＣ）層、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層又はサービスデータ適応プロトコル（Ｓｅｒｖｉｃｅ  Ｄａｔａ  Ａｄａｐｔａｔｉｏｎ  Ｐｒｏｔｏｃｏｌ、ＳＤＡＰ）などがＭＡＣ層によって指示されて再送する第１ＭＡＣ  ＰＤＵのデータコンテンツに基づいて第２ＭＡＣ  ＰＤＵを生成してもよい。
【００５２】
本開示の実施例では、新たに生成された第２ＭＡＣ  ＰＤＵをターゲットバッファ内に記憶することにより、ランダムアクセスが成功した後に端末装置がＨＡＲＱバッファにバッファリングされた第２ＭＡＣ  ＰＤＵをクリアすることを回避することができる。
【００５３】
以下、例を挙げて本開示の実施例に係るランダムアクセス方法について説明する。
【００５４】
ステップａでは、ユーザ装置ＵＥは、競合ベースのランダムアクセス手順（競合ランダムアクセス手順とも呼ばれる）において、Ｍｓｇ３伝送用のＭＡＣ  ＰＤＵ（すなわち、第１ＭＡＣ  ＰＤＵ）を生成し、Ｍｓｇ３バッファに記憶し、かつＨＡＲＱプロセスにより該第１ＭＡＣ  ＰＤＵに対してデータ送信を行う。
【００５５】
例えば、第１ＭＡＣ  ＰＤＵを該ＨＡＲＱプロセスのバッファに記憶して、該ＨＡＲＱプロセスにより該データを送信する。
【００５６】
ステップｂでは、ユーザ装置ＵＥは、競合ベースのランダムアクセス手順が失敗した（例えば、競合解決が失敗した）と判定した場合に、ランダムアクセス要求（例えば、Ｍｓｇ１）を再開始し、また該ランダムアクセス要求のリソースが非競合ベースランダムアクセスリソースであれば、非競合ランダムアクセス手順を開始する。
【００５７】
ステップｃでは、ユーザ装置ＵＥは、その対応するＭｓｇ２を受信した（例えば、ランダムアクセス応答で指示されるランダムアクセス要求識別子がユーザ装置ＵＥの送信したランダムアクセス要求に対応した）場合に、処理プロセス１〜処理プロセス３のうちいずれか１つの処理プロセスを実行することができる。
【００５８】
処理プロセス１では、ユーザ装置ＵＥは、ランダムアクセス手順が完了したと考え、かつＭｓｇ３バッファにバッファリングされた第１ＭＡＣ  ＰＤＵをＨＡＲＱプロセスにより伝送することができる。
【００５９】
例えば、上記非競合ベースのランダムアクセス手順の場合、ランダムアクセス手順が完了した後に、ユーザ装置ＵＥは、Ｍｓｇ３のＨＡＲＱ伝送の応答（すなわち、ＡＣＫフィードバック）を受信したり、Ｍｓｇ３のＨＡＲＱ伝送の最大伝送回数になったり、該ＨＡＲＱプロセスが他のデータに占有されたりするまで、該Ｍｓｇ３のＭＡＣ  ＰＤＵ（すなわち、第１ＭＡＣ  ＰＤＵ）をＨＡＲＱプロセスにより伝送する。
【００６０】
本実施形態では、ランダムアクセス手順の終了が非競合ベースのランダムアクセス手順によって終了する場合に、ＨＡＲＱバッファにバッファリングされた第１ＭＡＣ  ＰＤＵをクリアしない。すなわち、ランダムアクセス手順の終了が競合ベースのランダムアクセス手順によって終了する場合のみに、ユーザ装置ＵＥは、Ｍｓｇ３伝送に対応するＨＡＲＱバッファをクリアし、すなわちＨＡＲＱバッファにバッファリングされた第１ＭＡＣ  ＰＤＵをクリアする。
【００６１】
処理プロセス２では、ユーザ装置ＵＥは、ＨＡＲＱプロセスによるＭｓｇ３のＭＡＣ  ＰＤＵ（すなわち、第１ＭＡＣ  ＰＤＵ）の伝送が完了すると、ランダムアクセス手順が完了したと考えることができる。
【００６２】
例えば、非競合ベースのランダムアクセス手順の場合、ユーザ装置ＵＥは、該Ｍｓｇ３のＭＡＣ  ＰＤＵ（すなわち、第１ＭＡＣ  ＰＤＵ）をＨＡＲＱプロセスにより伝送し、該ＨＡＲＱプロセスによるデータ伝送が完了する（例えば、Ｍｓｇ３のＨＡＲＱ伝送のＡＣＫフィードバックを受信したり、Ｍｓｇ３のＨＡＲＱ伝送の最大伝送回数になったり、該ＨＡＲＱプロセスが他のデータに占有されたりする）と、該ランダムアクセス手順が完了したと考え、このとき、ユーザ装置ＵＥは、ＨＡＲＱバッファにバッファリングされた第１ＭＡＣ  ＰＤＵをクリアすることができる。
【００６３】
本実施形態では、ＨＡＲＱプロセスによるＭｓｇ３のＭＡＣ  ＰＤＵ（すなわち、第１ＭＡＣ  ＰＤＵ）の伝送が完了してこそランダムアクセス手順が完了したと考え、かつＨＡＲＱバッファにバッファリングされた第１ＭＡＣ  ＰＤＵをクリアすることができる。
【００６４】
処理プロセス３では、ユーザ装置ＵＥは、該ランダムアクセス手順が完了したと考え、かつ新たに生成された新たなＭＡＣ  ＰＤＵ（すなわち、第２ＭＡＣ  ＰＤＵ）をＨＡＲＱプロセスにより伝送する。
【００６５】
例えば、ユーザ装置ＵＥは、非競合ベースのランダムアクセス手順において、Ｍｓｇ３バッファに記憶されない新たなＭＡＣ  ＰＤＵ（すなわち、第２ＭＡＣ  ＰＤＵ）を再生成することができる。ユーザ装置ＵＥは、該ランダムアクセス手順が完了した後に、該ＨＡＲＱ伝送のＡＣＫフィードバックを受信したり、該ＨＡＲＱ伝送の最大伝送回数になったり、該ＨＡＲＱプロセスが他のデータに占有されたりするまで、ＨＡＲＱプロセスにより第２ＭＡＣ  ＰＤＵを伝送することができる。
【００６６】
本開示の実施例に係るランダムアクセス方法によって、ランダムアクセス手順におけるデータ伝送ロスを回避し、データ伝送の信頼性を向上させることができる。
【００６７】
図３は、本開示の実施例に係る端末装置の構成図である。図３に示すように、端末装置３００は、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングする処理モジュール３０１を含み、上記第１ＭＡＣ  ＰＤＵは、競合ランダムアクセス手順においてＭｓｇ３バッファにバッファリングされたＰＤＵであり、上記第２ＭＡＣ  ＰＤＵは、上記第１ＭＡＣ  ＰＤＵのデータコンテンツを少なくとも含み、かつ上記Ｍｓｇ３バッファとは異なるバッファであるターゲットバッファにバッファリングされたＰＤＵである。
【００６８】
好ましくは、上記処理モジュールは、具体的には、非競合ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングする。
【００６９】
好ましくは、上記端末装置は、上記ＨＡＲＱバッファにバッファリングされた第１ＭＡＣ  ＰＤＵを保留するか、又は第２ＭＡＣ  ＰＤＵをＨＡＲＱバッファにバッファリングした後に、送信停止条件を満たすまで、ＨＡＲＱプロセスを用いてネットワーク側装置にターゲットＭＡＣ  ＰＤＵを送信する送信モジュールをさらに含み、上記ターゲットＭＡＣ  ＰＤＵは、上記第１ＭＡＣ  ＰＤＵ又は上記第２ＭＡＣ  ＰＤＵを含む。
【００７０】
好ましくは、上記端末装置は、上記送信停止条件を満たすまで、ＨＡＲＱプロセスを用いてネットワーク側装置にターゲットＭＡＣ  ＰＤＵを送信した後に、上記送信停止条件を満たした場合に、上記ＨＡＲＱバッファにバッファリングされた上記ターゲットＭＡＣ  ＰＤＵをクリアするクリアモジュールをさらに含む。
【００７１】
好ましくは、上記送信停止条件は、Ｍｓｇ３のＨＡＲＱ伝送の応答を受信することと、Ｍｓｇ３のＨＡＲＱ伝送の最大伝送回数になることと、上記ＨＡＲＱプロセスが上記ターゲットＭＡＣ  ＰＤＵとは異なる第１データに占有されることと、のうち少なくとも１つを含む。
【００７２】
好ましくは、上記端末装置は、第２ＭＡＣ  ＰＤＵをＨＡＲＱバッファにバッファリングする前に、上記第１ＭＡＣ  ＰＤＵのデータコンテンツに基づいて第２ＭＡＣ  ＰＤＵを生成する生成モジュールと、上記第２ＭＡＣ  ＰＤＵをターゲットバッファ内に記憶する記憶モジュールと、をさらに含む。
【００７３】
本開示の実施例に係る端末装置３００は、図２における方法の実施例における端末装置が実現する各プロセスを実現することができ、重複を避けるために、ここでは説明を省略する。
【００７４】
本開示の実施例に係る端末装置３００は、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングする処理モジュール３０１を含み、上記第１ＭＡＣ  ＰＤＵは、競合ランダムアクセス手順においてＭｓｇ３バッファにバッファリングされたＰＤＵであり、上記第２ＭＡＣ  ＰＤＵは、上記第１ＭＡＣ  ＰＤＵのデータコンテンツを少なくとも含み、かつ上記Ｍｓｇ３バッファとは異なるバッファであるターゲットバッファにバッファリングされたＰＤＵである。ランダムアクセス手順が成功した場合に、端末装置がＭｓｇ３のＭＡＣ  ＰＤＵのデータコンテンツを伝送し続けることができることを実現することができるため、ランダムアクセス手順におけるデータ伝送ロスを低減し、データ伝送の信頼性を向上させることができる。
【００７５】
図４は、本開示の実施例に係る別の端末装置の構成図である。図４を参照すると、該端末装置４００は、無線周波数ユニット４０１、ネットワークモジュール４０２、オーディオ出力ユニット４０３、入力ユニット４０４、センサ４０５、表示ユニット４０６、ユーザ入力ユニット４０７、インタフェースユニット４０８、メモリ４０９、プロセッサ４１０及び電源４１１などの部品を含むが、これらに限定されない。当業者が理解できるように、図４に示す端末装置の構成は、端末装置を限定するものではなく、端末装置は、図示より多いか又は少ない部品を含んでよく、ある部品と組み合わせたり、異なる部品を配置したりしてよい。本開示の実施例では、端末装置は、携帯電話、タブレットパーソナルコンピュータ、ノートブックコンピュータ、パームトップコンピュータ、車載端末、ウェアラブル装置及び歩数計などを含むが、これらに限定されない。
【００７６】
プロセッサ４１０は、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングし、上記第１ＭＡＣ  ＰＤＵは、競合ランダムアクセス手順においてＭｓｇ３バッファにバッファリングされたＰＤＵであり、上記第２ＭＡＣ  ＰＤＵは、上記第１ＭＡＣ  ＰＤＵのデータコンテンツを少なくとも含み、かつ上記Ｍｓｇ３バッファとは異なるバッファであるターゲットバッファにバッファリングされたＰＤＵである。
【００７７】
本開示の実施例では、ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングすることにより、ランダムアクセス手順が成功した場合に、端末装置がＭｓｇ３のＭＡＣ  ＰＤＵのデータコンテンツを伝送し続けることができることを実現することができるため、ランダムアクセス手順におけるデータ伝送ロスを低減することができる。
【００７８】
好ましくは、上記プロセッサ４１０は、さらに、非競合ランダムアクセス手順が成功した場合に、ＨＡＲＱバッファにバッファリングされた第１ＭＡＣ  ＰＤＵを保留するか、又は第２ＭＡＣ  ＰＤＵをＨＡＲＱバッファにバッファリングする。
【００７９】
好ましくは、上記プロセッサ４１０は、さらに、上記ＨＡＲＱバッファにバッファリングされた第１ＭＡＣ  ＰＤＵを保留するか、又は第２ＭＡＣ  ＰＤＵをＨＡＲＱバッファにバッファリングした後に、送信停止条件を満たすまで、ＨＡＲＱプロセスを用いてネットワーク側装置にターゲットＭＡＣ  ＰＤＵを送信し、上記ターゲットＭＡＣ  ＰＤＵは、上記第１ＭＡＣ  ＰＤＵ又は上記第２ＭＡＣ  ＰＤＵを含む。
【００８０】
好ましくは、上記プロセッサ４１０は、さらに、上記送信停止条件を満たすまで、ＨＡＲＱプロセスを用いてネットワーク側装置にターゲットＭＡＣ  ＰＤＵを送信した後に、上記送信停止条件を満たした場合に、上記ＨＡＲＱバッファにバッファリングされた上記ターゲットＭＡＣ  ＰＤＵをクリアする。
【００８１】
好ましくは、上記送信停止条件は、Ｍｓｇ３のＨＡＲＱ伝送の応答を受信することと、Ｍｓｇ３のＨＡＲＱ伝送の最大伝送回数になることと、上記ＨＡＲＱプロセスが上記ターゲットＭＡＣ  ＰＤＵとは異なる第１データに占有されることと、のうち少なくとも１つを含む。
【００８２】
好ましくは、上記プロセッサ４１０は、さらに、第２ＭＡＣ  ＰＤＵをＨＡＲＱバッファにバッファリングする前に、上記第１ＭＡＣ  ＰＤＵのデータコンテンツに基づいて第２ＭＡＣ  ＰＤＵを生成し、上記第２ＭＡＣ  ＰＤＵをターゲットバッファ内に記憶する。
【００８３】
理解すべきこととして、本開示の実施例では、無線周波数ユニット４０１は、情報の送受信、又は通話中の信号の送受信に用いられてよく、具体的には、基地局からのダウンリンクデータを受信した後に、プロセッサ４１０に送信して処理させ、また、アップリンクデータを基地局に送信する。一般的に、無線周波数ユニット４０１は、アンテナ、少なくとも１つの増幅器、トランシーバ、カプラ、低雑音増幅器、デュプレクサなどを含むが、これらに限定されない。また、無線周波数ユニット４０１は、さらに、無線通信システムによりネットワーク及び他の装置と通信することができる。
【００８４】
端末装置は、ネットワークモジュール４０２によりユーザに無線のブロードバンドインターネットアクセスを提供して、例えば、ユーザによる電子メールの送受信、ウェブページの閲覧及びストリーミングメディアへのアクセスなどを支援する。
【００８５】
オーディオ出力ユニット４０３は、無線周波数ユニット４０１又はネットワークモジュール４０２によって受信されるか又はメモリ４０９に記憶されるオーディオデータをオーディオ信号に変換して音声として出力することができる。また、オーディオ出力ユニット４０３は、さらに、端末装置４００によって実行される特定の機能に関連するオーディオ出力（例えば、呼出音、メッセージ着信音など）を提供することができる。オーディオ出力ユニット４０３は、スピーカ、ブザー及び受話器などを含む。
【００８６】
入力ユニット４０４は、オーディオ又はビデオ信号を受信する。入力ユニット４０４は、グラフィックプロセッサ（Ｇｒａｐｈｉｃｓ  Ｐｒｏｃｅｓｓｉｎｇ  Ｕｎｉｔ、ＧＰＵ）４０４１及びマイクロフォン４０４２を含んでよく、グラフィックプロセッサ４０４１は、動画撮影モード又は画像撮影モードで撮影装置（例えば、カメラ）によって取得された静止画像又はビデオの画像データを処理する。処理後の画像フレームは、表示ユニット４０６に表示されてよい。グラフィックプロセッサ４０４１によって処理された画像フレームは、メモリ４０９（又は他の記憶媒体）に記憶されてもよく、無線周波数ユニット４０１又はネットワークモジュール４０２によって送信されてもよい。マイクロフォン４０４２は、音声を受信し、かつこのような音声をオーディオデータに処理することができる。処理後のオーディオデータは、電話通話モードで無線周波数ユニット４０１によって移動通信基地局に送信可能なフォーマットに変換されて出力することができる。
【００８７】
端末装置４００は、光センサ、動きセンサ及び他のセンサなどの少なくとも１種のセンサ４０５をさらに含む。具体的には、光センサは、環境光線の明るさに応じて表示パネル４０６１の輝度を調節することができる環境光センサと、端末装置４００が耳元に移動するときに、表示パネル４０６１及び／又はバックライトをオフにすることができる近接センサとを含む。動きセンサの１種として、加速度計センサは、各方向（一般的に３軸）の加速度の大きさを検出でき、静止時に重力の大きさ及び方向を検出でき、端末装置姿勢の識別（例えば、縦向き／横向きの切替、ゲーム関連、磁力計の姿勢較正）、振動識別に関連する機能（例えば、歩数計、タッピング）などに用いられてよく、センサ４０５は、指紋センサ、圧力センサ、虹彩センサ、分子センサ、ジャイロスコープ、気圧計、湿度計、温度計、赤外線センサなどをさらに含んでよく、ここでは説明を省略する。
【００８８】
表示ユニット４０６は、ユーザによって入力された情報又はユーザに提供された情報を表示する。表示ユニット４０６は、表示パネル４０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル４０６１を構成することができる。
【００８９】
ユーザ入力ユニット４０７は、入力された数字又は文字情報を受信すると共に、端末装置のユーザ設定及び機能制御に関連するキー信号入力を生成することができる。具体的には、ユーザ入力ユニット４０７は、タッチパネル４０７１及び他の入力装置４０７２を含む。タッチパネル４０７１は、タッチスクリーンとも呼ばれ、その上又はその近くでのユーザのタッチ操作（例えば、指、スタイラスペンなどの任意の適切な物体又は付属品を用いるタッチパネル４０７１上又はタッチパネル４０７１の近くでのユーザの操作）を収集することができる。タッチパネル４０７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ４１０に送信し、プロセッサ４１０から送信されたコマンドを受信して実行する。また、抵抗式、容量式、赤外線式及び表面弾性波式などの複数のタイプでタッチパネル４０７１を実現することができる。タッチパネル４０７１に加えて、ユーザ入力ユニット４０７は、他の入力装置４０７２をさらに含んでよい。具体的には、他の入力装置４０７２は、物理キーボード、機能キー（例えば、ボリューム調節キー、スイッチキーなど）、トラックボール、マウス及びジョイスティックを含み得るが、これらに限定されず、ここでは説明を省略する。
【００９０】
さらに、タッチパネル４０７１は、表示パネル４０６１をカバーすることができ、タッチパネル４０７１がタッチパネル上又はその近くでのタッチ操作を検出した後、プロセッサ４１０に伝送してタッチイベントのタイプを決定し、その後に、プロセッサ４１０は、タッチイベントのタイプに応じて、対応する視覚的出力を表示パネル４０６１に提供する。図４において、タッチパネル４０７１と表示パネル４０６１は、２つの独立した部品として端末装置の入出力機能を実現するが、いくつかの実施例では、タッチパネル４０７１と表示パネル４０６１を一体化して端末装置の入出力機能を実現することができ、ここでは具体的に限定されない。
【００９１】
インタフェースユニット４０８は、外部装置と端末装置４００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット４０８は、外部装置からの入力（例えば、データ情報、電力など）を受信すると共に、受信した入力を端末装置４００内の１つ以上の素子に伝送するか、又は端末装置４００と外部装置との間でデータを伝送することができる。
【００９２】
メモリ４０９は、ソフトウェアプログラム及び様々なデータを記憶することができる。メモリ４０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ４０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【００９３】
プロセッサ４１０は、端末装置の制御センタであり、様々なインタフェース及び回線により端末装置全体の各部分に接続され、メモリ４０９に記憶されたソフトウェアプログラム及び／又はモジュールを動作させるか又は実行し、かつメモリ４０９に記憶されたデータを呼び出すことにより、端末装置の様々な機能及びデータ処理を実行して、端末装置全体をモニタリングする。プロセッサ４１０は、１つ以上の処理ユニットを含んでよく、好ましくは、プロセッサ４１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ４１０に集積されなくてもよいことを理解されたい。
【００９４】
端末装置４００は、各部品に給電する電源４１１（例えば、電池）をさらに含んでよく、好ましくは、電源４１１は、電源管理システムによりプロセッサ４１０と論理的に接続されて、電源管理システムにより充電、放電の管理及び消費電力の管理などの機能を実現することができる。
【００９５】
また、端末装置４００は、いくつかの未図示の機能モジュールを含み、ここでは説明を省略する。
【００９６】
好ましくは、本開示の実施例に係る端末装置は、プロセッサ４１０と、メモリ４０９と、メモリ４０９に記憶されて上記プロセッサ４１０上で実行可能で、プロセッサ４１０によって実行されると、上記ランダムアクセス方法の実施例の各ステップを実現し、かつ同じ技術的効果を達成することができるコンピュータプログラムとを含み、重複を避けるために、ここでは説明を省略する。
【００９７】
本開示の実施例に係るコンピュータ可読記憶媒体には、プロセッサによって実行されると、上記ランダムアクセス方法の実施例の各プロセスを実現し、かつ同じ技術的効果を達成することができるコンピュータプログラムが記憶されており、重複を避けるために、ここでは説明を省略する。上記コンピュータ可読記憶媒体は、読み取り専用メモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスク又は光ディスクなどであってよい。
【００９８】
なお、本明細書において、用語「含む」、「含み」又はそれらの任意の他の変形は、非排他的な包含をカバーすることを意図することにより、一連の要素を含むプロセス、方法、物品又は装置は、それらの要素を含むだけでなく、明確に列挙されない他の要素を含むか、又はこのようなプロセス、方法、物品又は装置に固有の要素を含む。更なる限定がない場合、「１つの・・・含む」という語句で限定された要素は、該要素を含むプロセス、方法、物品又は装置に他の同様な要素がさらに存在することを排除するものではない。
【００９９】
以上の実施形態の説明により、当業者が明確に理解できるように、上記実施例の方法はソフトウェアと必要な汎用ハードウェアプラットフォームを併用した方法で実現でき、当然のことながらハードウェアでも実現できるが、多くの場合に前者がより好ましい実施形態である。このような理解に基づいて、本開示の技術手段の本質的又は従来技術に寄与する部分は、ソフトウェア製品の形態で具現化されてよく、該コンピュータソフトウェア製品は、記憶媒体（例えば、ＲＯＭ／ＲＡＭ、磁気ディスク、光ディスク）に記憶されており、１台の端末（携帯電話、コンピュータ、サーバ、エアコン又はネットワーク装置などであってよい）に本開示の各実施例に記載の方法を実行させるための複数のコマンドを含む。
【０１００】
以上、図面を参照しながら本開示の実施例を説明したが、本開示は、上記具体的な実施形態に限定されるものではなく、上記具体的な実施形態は、例示的なものに過ぎず、限定的なものではなく、当業者であれば、本開示の示唆で、本開示の趣旨及び特許請求の範囲の保護範囲から逸脱せずに、種々の態様を行うことができ、これらは、いずれも本開示の保護範囲内に属する。
【図１】
2021534620.tif 000003
【図２】
2021534620.tif 000004
【図３】
2021534620.tif 000005
【図４】
2021534620.tif 000006
【国際調査報告】
2021534620.tif 000007
2021534620.tif 000008
2021534620.tif 000009
2021534620.tif 000010